(57)【要約】【課題】複数回に渡って録画した連続ドラマ等を、ＣＭ部を削除して光ディスクにダビングするときにも、ＣＭカットの位置を示す情報の生成に要する手間を減少させる。【解決手段】ＣＭカットの開始位置を示す開始位置情報とＣＭカットの終了位置を示す終了位置情報とを有するプリセット情報を保存するプリセット保存手段２１と、プリセット保存手段２１に保存されたプリセット情報のうちから、ダビング時に使用するプリセット情報を指定するプリセット指定手段２９とを備え、ダビング制御手段２３は、指定されたプリセット情報の開始位置情報と終了位置情報とに基づき、ダビングする映像音声情報からＣＭ部をカットする。【選択図】  図１
2006339730.tif 000002
【特許請求の範囲】
【請求項１】
ＤＶＤに映像音声情報を記録するとともにＤＶＤに記録された映像音声情報を再生するディスクドライブ部と、
映像音声情報が記録されるとともに記録された映像音声情報を再生して出力するハードディスクドライブ部と、
ハードディスクドライブ部に記録された映像音声情報を、ディスクドライブ部を介して、ＤＶＤにダビングするダビング制御手段とを備え、
ダビング制御手段は、ハードディスクドライブ部に記録された映像音声情報をＣＭカットしてＤＶＤにダビングする映像音声記録再生装置において、
ＣＭカットの開始位置を示す開始位置情報とＣＭカットの終了位置を示す終了位置情報とを有するプリセット情報を保存するプリセット保存手段と、
プリセット保存手段に保存されたプリセット情報のうちから、ダビング時に使用するプリセット情報を指定するプリセット指定手段と、
指定されたプリセット情報の開始位置情報と終了位置情報との修正を可能にする位置情報修正手段とを備え、
ダビング制御手段は、プリセット情報が修正されなかったときでは指定されたプリセット情報の開始位置情報と終了位置情報とに基づいてＣＭカットを行い、プリセット情報が修正されたときでは修正されたプリセット情報の開始位置情報と終了位置情報とに基づいてＣＭカットを行うことを特徴とする映像音声記録再生装置。
【請求項２】
光ディスクに映像音声情報を記録するとともに光ディスクに記録された映像音声情報を再生するディスクドライブ部と、
映像音声情報が記録されるとともに記録された映像音声情報を再生して出力する情報記録媒体と、
情報記録媒体に記録された映像音声情報を、ディスクドライブ部を介して、光ディスクにダビングするダビング制御手段とを備え、
ダビング制御手段は、情報記録媒体に記録された映像音声情報をＣＭカットして光ディスクにダビングする映像音声記録再生装置において、
ＣＭカットの開始位置を示す開始位置情報とＣＭカットの終了位置を示す終了位置情報とを有するプリセット情報を保存するプリセット保存手段と、
プリセット保存手段に保存されたプリセット情報のうちから、ダビング時に使用するプリセット情報を指定するプリセット指定手段とを備え、
ダビング制御手段は、指定されたプリセット情報の開始位置情報と終了位置情報とに基づいてＣＭカットを行うことを特徴とする映像音声記録再生装置。
【請求項３】
指定されたプリセット情報の開始位置情報と終了位置情報との修正を可能にする位置情報修正手段を備え、
ダビング制御手段は、位置情報修正手段によって修正されたプリセット情報に基づいてＣＭカットを行うことを特徴とする請求項２に記載の映像音声記録再生装置。
【請求項４】
光ディスクに映像音声情報を記録するとともに光ディスクに記録された映像音声情報を再生するディスクドライブ部と、
商用放送を受信して得られた映像音声情報を、ディスクドライブ部を介して、光ディスクに記録する録画制御手段とを備え、
録画制御手段は、商用放送を受信して得られた映像音声情報を、ＣＭ部を除いて光ディスクに記録する映像音声記録再生装置において、
ＣＭ部の開始時刻を示す開始位置情報とＣＭ部の終了時刻を示す終了位置情報とを有するプリセット情報を保存するプリセット保存手段と、
プリセット保存手段に保存されたプリセット情報のうちから、商用放送の記録時に使用するプリセット情報を指定するプリセット指定手段とを備え、
録画制御手段は、指定されたプリセット情報の開始位置情報と終了位置情報とに基づいて記録の停止と再開とを行うことにより、ＣＭ部を除いた映像音声情報を光ディスクに記録することを特徴とする映像音声記録再生装置。
【請求項５】
プリセット情報に基づいて商用放送をＣＭ部を除いて光ディスクに記録するときには記録の失敗時の修正が不能であることを示すメッセージを表示するメッセージ表示手段を備えたことを特徴とする請求項４に記載の映像音声記録再生装置。
【発明の詳細な説明】
【技術分野】
【０００１】
本発明は、ダビング時にＣＭカットを行う映像音声記録再生装置に係り、より詳細には、保存されたプリセット情報のうちから指定されたプリセット情報に基づいてＣＭカットを行う映像音声記録再生装置、および、商用放送の録画時にＣＭカットを行う映像音声記録再生装置に係り、より詳細には、保存されたプリセット情報のうちから指定されたプリセット情報に基づき、録画時にＣＭカットを行う映像音声記録再生装置に関する。
【背景技術】
【０００２】
民放から放送される番組にはＣＭが含まれているので、前記番組をそのまま録画するとＣＭも同時に録画される。その一方で、再生時には、ＣＭを飛ばし、本編のみを視聴したいと感じることが多い。このような要求を満たすため、ユーザの側においては、番組を一度ハードディスクドライブに録画した後、ＣＭ部分をカットして、本編のみをＤＶＤにダビングする操作を行っている。また、受信した番組を、直接にＤＶＤに録画するときに、ＣＭ部分をカットして録画する操作を行ってもいる。
【０００３】
このようなＣＭカットに関連する技術として、以下に示す技術が提案されている（第１の従来技術とする）。すなわち、この技術では、オーディオ信号がステレオモードに変化したときにはＣＭが開始されたことを示す信号を出力し、オーディオ信号がモノラルモードに変化したときにはＣＭが終了したことを示す信号を出力する検出部を設けている。そして、録画しているときに、ＣＭが開始されたことを示す信号が出力されると録画を一時停止し、ＣＭが終了したことを示す信号が出力されると録画を再開している（例えば、特許文献１参照）。
【０００４】
また、以下に示す技術が提案されている（第２の従来技術とする）。すなわち、この技術では、編集において、ＣＭの開始位置を開始位置情報として指定し、ＣＭの終了位置を終了位置情報として指定すると、開始位置情報により示される位置から終了位置情報により示される位置までの画像情報を削除するようになっている。すなわち、ＣＭカットを行うようになっている（例えば、特許文献２参照）。
【特許文献１】特開２００２−８４４９７号公報（第００５２、００７５〜００８５段落）
【特許文献２】特開２００４−１５９０８２号公報
【発明の開示】
【発明が解決しようとする課題】
【０００５】
しかしながら第１の従来技術を用いる場合には、以下に示す問題を生じていた。すなわち、本編におけるオーディオ信号がステレオモードとなるようなときでは、放送されている内容が本編なのかＣＭなのかの区別がつかなくなる。このため、ＣＭカットした録画を行うことができない。
【０００６】
また、第２の従来技術を用いる場合では、録画後にメニュー画面を開くことによって、編集モードに移行する。次いで、速送り等を用いながら再生を行うことによって、開始位置情報（ＣＭの開始位置）と終了位置情報（ＣＭの終了位置）とを探すことになる。そして、この作業を、番組の放送中に挿入されたＣＭの数と同じ回数だけ繰り返す必要がある。また、新たに番組を録画する毎に、同じ作業を繰り返す必要がある。このため、ＣＭカットを行う作業は、ユーザにとっては、煩雑に感じられる作業となっている。しかも、このような作業を、パーソナルコンピュータではなく、ハードディスクドライブ一体型ＤＶＤレコーダ等のように、操作機能が充実していない装置で行う場合には、煩雑さは、より強く感じられることになる。
【０００７】
本発明は、上記の問題点を解決するため創案されたものであり、その目的は、複数回に渡ってハードディスクドライブ部に録画した連続ドラマを、ＣＭカットして光ディスクにダビングするときにも、ＣＭカットの位置を示す情報の生成に要する手間を減少させることのでき、且つ、ＣＭカットするときのカットの範囲を、ＣＭ部に精度良く一致させることのできる映像音声記録再生装置を提供することにある。
【０００８】
また本発明の目的は、予め生成されて保存され、ＣＭカットの開始位置を示す開始位置情報とＣＭカットの終了位置を示す終了位置情報とを有するプリセット情報のうちの一つのプリセット情報に従って、ダビングする映像音声情報のＣＭカットを行うことにより、複数回に渡ってハードディスクドライブ部に録画した連続ドラマを、ＣＭカットして光ディスクにダビングするときにも、ＣＭカットの位置を示す情報の生成に要する手間を減少させることのできる映像音声記録再生装置を提供することにある。
【０００９】
また、上記目的に加え、プリセット情報の開始位置情報と終了位置情報との修正を可能とすることにより、ＣＭカットするときのカットの範囲を、ＣＭ部に精度良く一致させることのできる映像音声記録再生装置を提供することにある。
【００１０】
また本発明の目的は、予め生成されて保存され、ＣＭカットの開始時刻を示す開始位置情報とＣＭカットの終了時刻を示す終了位置情報とを有するプリセット情報のうちの一つのプリセット情報に従って、録画の停止と再開とを行うことにより、連続ドラマを、複数回に渡って、ＣＭカットして光ディスクに録画するときにも、ＣＭカットのための位置を示す情報の生成に要する手間を減少させることのできる映像音声記録再生装置を提供することにある。
【００１１】
また本発明の目的は、上記目的に加え、録画のＣＭカットでは、録画の失敗は修正不能であることを示すメッセージを表示することにより、録画におけるＣＭカットが適切に行われなかったときにも、ユーザの納得を容易にすることのできる映像音声記録再生装置を提供することにある。
【課題を解決するための手段】
【００１２】
上記の課題を解決するため、本発明に係る映像音声記録再生装置は、ＤＶＤに映像音声情報を記録するとともにＤＶＤに記録された映像音声情報を再生するディスクドライブ部と、映像音声情報が記録されるとともに記録された映像音声情報を再生して出力するハードディスクドライブ部と、ハードディスクドライブ部に記録された映像音声情報を、ディスクドライブ部を介して、ＤＶＤにダビングするダビング制御手段とを備え、ダビング制御手段は、ハードディスクドライブ部に記録された映像音声情報をＣＭカットしてＤＶＤにダビングする映像音声記録再生装置に適用している。そして、ＣＭカットの開始位置を示す開始位置情報とＣＭカットの終了位置を示す終了位置情報とを有するプリセット情報を保存するプリセット保存手段と、プリセット保存手段に保存されたプリセット情報のうちから、ダビング時に使用するプリセット情報を指定するプリセット指定手段と、指定されたプリセット情報の開始位置情報と終了位置情報との修正を可能にする位置情報修正手段とを備え、ダビング制御手段は、プリセット情報が修正されなかったときでは指定されたプリセット情報の開始位置情報と終了位置情報とに基づいてＣＭカットを行い、プリセット情報が修正されたときでは修正されたプリセット情報の開始位置情報と終了位置情報とに基づいてＣＭカットを行う。
【００１３】
すなわち、毎週放送される連続ドラマ等では、ＣＭ部の位置が同じとなっている。従って、連続ドラマを複数回にわたってハードディスクドライブ部に録画した場合、そのうちの一つの放送分について、ＣＭカットの位置を示す情報を生成し、プリセット情報として保存すると、保存されたプリセット情報は、連続ドラマのその他の放送分のＣＭカットの位置を示す情報となる。従って、連続ドラマをＤＶＤにダビングする場合、ある放送分についてのプリセット情報を生成するのみで、その他の放送分については、ＣＭカットのための情報の生成が不要となる。また、修正されたプリセット情報においては、開始位置情報と終了位置情報とは、ＣＭ部の範囲を精度良く示すことになる。
【００１４】
また本発明に係る映像音声記録再生装置は、光ディスクに映像音声情報を記録するとともに光ディスクに記録された映像音声情報を再生するディスクドライブ部と、映像音声情報が記録されるとともに記録された映像音声情報を再生して出力する情報記録媒体と、情報記録媒体に記録された映像音声情報を、ディスクドライブ部を介して、光ディスクにダビングするダビング制御手段とを備え、ダビング制御手段は、情報記録媒体に記録された映像音声情報をＣＭカットして光ディスクにダビングする映像音声記録再生装置に適用している。そして、ＣＭカットの開始位置を示す開始位置情報とＣＭカットの終了位置を示す終了位置情報とを有するプリセット情報を保存するプリセット保存手段と、プリセット保存手段に保存されたプリセット情報のうちから、ダビング時に使用するプリセット情報を指定するプリセット指定手段とを備え、ダビング制御手段は、指定されたプリセット情報の開始位置情報と終了位置情報とに基づいてＣＭカットを行う。
【００１５】
すなわち、毎週放送される連続ドラマ等では、ＣＭ部の位置が同じとなっている。従って、連続ドラマを複数回にわたって録画した場合、そのうちの一つの放送分について、ＣＭカットの位置を示す情報を生成し、プリセット情報として保存すると、保存されたプリセット情報は、連続ドラマのその他の放送分のＣＭカットの位置を示す情報となる。従って、連続ドラマをダビングする場合、ある放送分についてのプリセット情報を生成するのみで、その他の放送分については、ＣＭカットの情報を生成する必要がなくなる。
【００１６】
また、上記構成に加え、指定されたプリセット情報の開始位置情報と終了位置情報との修正を可能にする位置情報修正手段を備え、ダビング制御手段は、位置情報修正手段によって修正されたプリセット情報に基づいてＣＭカットを行う。すなわち、修正されたプリセット情報においては、開始位置情報と終了位置情報とは、ＣＭ部の範囲を精度良く示すことになる。
【００１７】
また本発明に係る映像音声記録再生装置は、光ディスクに映像音声情報を記録するとともに光ディスクに記録された映像音声情報を再生するディスクドライブ部と、商用放送を受信して得られた映像音声情報を、ディスクドライブ部を介して、光ディスクに記録する録画制御手段とを備え、録画制御手段は、商用放送を受信して得られた映像音声情報を、ＣＭ部を除いて光ディスクに記録する映像音声記録再生装置に適用している。そして、ＣＭ部の開始時刻を示す開始位置情報とＣＭ部の終了時刻を示す終了位置情報とを有するプリセット情報を保存するプリセット保存手段と、プリセット保存手段に保存されたプリセット情報のうちから、商用放送の記録時に使用するプリセット情報を指定するプリセット指定手段とを備え、録画制御手段は、指定されたプリセット情報の開始位置情報と終了位置情報とに基づいて記録の停止と再開とを行うことにより、ＣＭ部を除いた映像音声情報を光ディスクに記録する。
【００１８】
すなわち、毎週放送される連続ドラマ等では、ＣＭ部の位置が同じとなっている。従って、連続ドラマを複数回にわたって光ディスクに録画する場合、そのうちの一つに放送分について、ＣＭカットのための位置を示す情報を生成し、プリセット情報として保存すると、保存されたプリセット情報は、連続ドラマのその他の放送分を録画するときのＣＭカットの位置を示す情報となる。従って、連続ドラマを複数回に渡って録画する場合、ある放送分についてプリセット情報を生成するのみで、その他の放送分については、ＣＭカットのための位置を示す情報を生成する必要がなくなる。
【００１９】
また、上記構成に加え、プリセット情報に基づいて商用放送を光ディスクに記録するときには記録の失敗時の修正が不能であることを示すメッセージを表示するメッセージ表示手段を備えている。すなわち、録画におけるＣＭカットでは、ＣＭカットが適切に行われない可能性があり、このときでは、修正が不能であることが示される。
【発明の効果】
【００２０】
本発明によれば、連続ドラマを複数回にわたってハードディスクドライブ部に録画した場合、そのうちの一つの放送分について、ＣＭカットの位置を示す情報を生成し、プリセット情報として保存すると、保存されたプリセット情報は、連続ドラマのその他の放送分のＣＭカットの位置を示す情報となる。従って、連続ドラマをＣＭカットしてＤＶＤにダビングする場合、ある放送分についてのプリセット情報を生成するのみで、その他の放送分については、ＣＭカットのための情報の生成が不要となる。また、修正されたプリセット情報においては、開始位置情報と終了位置情報とは、ＣＭ部の範囲を精度良く示す。このため、複数回に渡ってハードディスクドライブ部に録画した連続ドラマを、ＣＭカットしてＤＶＤにダビングするときにも、ＣＭカットの位置を示す情報の生成に要する手間を減少させることができ、且つ、ＣＭカットするときのカットの範囲を、ＣＭ部に精度良く一致させることができる。
【００２１】
また本発明によれば、連続ドラマを複数回にわたって録画した場合、そのうちの一つの放送分について、ＣＭカットの位置を示す情報を生成し、プリセット情報として保存すると、保存されたプリセット情報は、連続ドラマのその他の放送分のＣＭカットの位置を示す情報となる。従って、連続ドラマを光ディスクにダビングする場合、ある放送分についてのプリセット情報を生成するのみで、その他の放送分については、ＣＭカットのための情報を生成する必要がなくなる。このため、複数回に渡ってハードディスクドライブ部に録画した連続ドラマを、ＣＭカットして光ディスクにダビングするときにも、ＣＭカットの位置を示す情報の生成に要する手間を減少させることができる。
【００２２】
また、さらに、修正されたプリセット情報においては、開始位置情報と終了位置情報とは、ＣＭ部の範囲を精度良く示すことになるので、ＣＭカットするときのカットの範囲を、ＣＭ部に精度良く一致させることができる。
【００２３】
また本発明によれば、連続ドラマを複数回にわたって光ディスクに録画する場合、そのうちの一つに放送分について、ＣＭカットのための位置を示す情報を生成し、プリセット情報として保存すると、保存されたプリセット情報は、連続ドラマのその他の放送分を録画するときのＣＭカットの位置を示す情報となる。従って、連続ドラマを複数回に渡って録画する場合、ある放送分についてプリセット情報を生成するのみで、その他の放送分については、ＣＭカットのための位置を示す情報を生成する必要がなくなる。このため、連続ドラマを、複数回に渡って、ＣＭカットして光ディスクに録画するときにも、ＣＭカットのための位置を示す情報の生成に要する手間を減少させることができる。
【００２４】
また、さらに、録画におけるＣＭカットでは、ＣＭカットが適切に行われない可能性があり、このときでは、修正が不能であることが示されるので、録画におけるＣＭカットが適切に行われたなかったときにも、ユーザの納得を容易にすることができる。
【発明を実施するための最良の形態】
【００２５】
以下、本発明の実施の形態について図を参照して説明する。
【００２６】
図１は、本発明に係る映像音声記録再生装置の一実施形態であるＨＤＤ一体型ＤＶＤレコーダの電気的構成を示すブロック線図である。
【００２７】
図において、チューナ部１は、マイクロコンピュータ（以下では、マイコンと称する）７から指示されたチャンネルの商用放送を受信する。また、受信して得られたアナログ映像音声信号をＡ／Ｄ変換部２に出力する。Ａ／Ｄ変換部２は、チューナ部１から出力されるアナログ映像音声信号をデジタル映像音声信号に変換し、信号処理部３に出力する。
【００２８】
ディスクドライブ部５は、信号処理部３より出力される映像音声情報を、ＤＶＤ（光ディスク）１３に記録する。また、ＤＶＤ１３に記録された映像音声情報を再生して信号処理部３に出力する。ハードディスクドライブ部（請求項記載の情報記録媒体であり、以下では、ＨＤＤと称する）６は、信号処理部３より出力される映像音声情報を内部に記録する。また、内部に記録した映像音声情報を再生して信号処理部３に出力する。Ｄ／Ａ変換部４は、信号処理部３より出力されるデジタル映像音声信号を、アナログ映像音声信号に変換し、外部に設けられたテレビ受像機１４に出力する。
【００２９】
信号処理部３は、Ａ／Ｄ変換部２から出力されるデジタル映像音声信号を、エンコード部１５を用い、ＭＰＥＧ２方式（音声信号についてはＡＣ−３方式等）で圧縮処理することによって得られた映像音声情報を、ディスクドライブ部５やＨＤＤ６に出力する。また、ディスクドライブ部５やＨＤＤ６から出力される映像音声情報を、デコード部１６を用い、ＭＰＥＧ２方式で伸長処理することによって得られたデジタル映像音声信号（ＡＣ−３方式等で伸長されたデジタル音声信号を含む）をＤ／Ａ変換部４に出力する。また、マイコン７からの指示に従い、ディスクドライブ部５から出力された映像音声情報をＨＤＤ６に転送する。また、ＨＤＤ６から出力された映像音声情報をディスクドライブ部５に転送する。
【００３０】
入力回路部８は、図示されない装置本体の前面パネルに設けられた電源キー等のキースイッチや、リモートコントローラ（以下では、リモコンと称する）９から送信される赤外線信号を受光する受光ユニット等を備えており、ユーザからの指示が入力される。また、入力されたユーザからの指示をマイコン７に出力する。なお、請求項記載のプリセット指定手段２９は、リモコン９と入力回路部８と後述するプリセット表示手段２２とにより構成される。
【００３１】
プリセット保存手段２１は、ＨＤＤ６の記憶エリアの一部でもって構成されており、予め生成されたプリセット情報を保存する。プリセット情報は、図２に示したように、ダビングの対象となる番組（映像音声情報）、あるいは、録画の対象となる番組（商用放送を受信して得られた映像音声情報）４１におけるＣＭ部Ａ１〜Ａ３，・・・，Ａｎのそれぞれの開始時刻（ＣＭカットの開始位置）ＳＴ１〜ＳＴ３，・・・，ＳＴｎを示す開始位置情報と、終了時刻（ＣＭカットの終了位置）ＥＤ１〜ＥＤ３，・・・，ＥＤｎを示す終了位置情報とを有する情報となっている。なお、開始位置情報と終了位置情報とは、番組開始時刻を時刻０として、番組開始時刻からの経過時間によって示されるようになっている。
【００３２】
マイコン７は、ＨＤＤ一体型ＤＶＤレコーダとしての主要動作を制御する。すなわち、リモコン９等に入力されたユーザの指示に従って、チューナ部１が受信するチャンネルを制御する。また、信号処理部３を制御（信号処理部３を介したディスクドライブ部５やＨＤＤ６の制御を含む）することによって、ＤＶＤ１３に記録された映像音声情報を再生して、テレビ受像機１４に表示する制御を行う。また、チューナ部１が受信した番組をＤＶＤ１３に記録する制御を行う。
【００３３】
また、ＨＤＤ６に記録された映像音声情報を再生して、テレビ受像機１４に表示する制御を行う。また、チューナ部１が受信した番組をＨＤＤ６に記録する制御を行う。また、ディスクドライブ部５から出力される映像音声情報をＨＤＤ６に転送する制御、および、ＨＤＤ６から出力される映像音声情報をディスクドライブ部５に転送する制御を行う。
【００３４】
このため、マイコン７は、その機能の一部でもって、プリセット表示手段２２、ダビング制御手段２３、カット位置情報生成手段２４、位置情報修正手段２５、録画予約手段２６、録画制御手段２７、および、メッセージ表示手段２８を構成する。
【００３５】
プリセット表示手段２２は、プリセット保存手段２１に保存された複数のプリセット情報のうち、どのプリセット情報をカット位置情報として使用するかをユーザが指定するとき、プリセット保存手段２１に保存されたプリセット情報を、テレビ受像機１４に一覧表示する。そして、リモコン９を用いることにより、一覧表示されたプリセット情報のうちから、カット位置情報として使用するプリセット情報が、ユーザによって指定される。
【００３６】
ダビング制御手段２３は、ＨＤＤ６に記録された映像音声情報を、ディスクドライブ部５を介して、ＤＶＤ１３にダビングする場合、ユーザからＣＭカットの指示が与えられているときでは、ユーザによって指定されたプリセット情報における開始位置情報と終了位置情報、あるいは、カット位置情報生成手段２４によって生成されたカット位置情報における開始位置情報と終了位置情報とに基づき、ＨＤＤ６に記録された映像音声情報のＣＭ部の再生をスキップすることによって、ＣＭカットした映像音声情報をＤＶＤ１３にダビングする。
【００３７】
すなわち、例えば、番組４１をＣＭカットしてダビングするときでは、開始位置情報（ＣＭカットの開始位置）ＳＴ１から終了位置情報（ＣＭカットの終了位置）ＥＤ１までの部分、ＳＴ２からＥＤ２までの部分、ＳＴ３からＥＤ３までの部分、・・・、ＳＴｎからＥＤｎまでの部分のそれぞれの再生をスキップして、ＤＶＤ１３に記録する。
【００３８】
カット位置情報生成手段２４は、ＨＤＤ６に記録された映像音声情報をＤＶＤ１３にダビングするとき、ダビングされる映像音声情報から、どの部分をＣＭ部として再生をスキップすればよいのか、または、ＤＶＤ１３に番組を録画するとき、どの部分をＣＭ部として、録画を一時停止すればよいのかを示す開始位置情報と終了位置情報とからなるカット位置情報を生成する。
【００３９】
位置情報修正手段２５は、プリセット指定手段２９によって指定されたプリセット情報の開始位置情報と終了位置情報との修正を可能にする。すなわち、例えば、開始位置情報ＳＴ２が示す位置と終了位置情報ＥＤ２が示す位置とが、ダビングする番組のＣＭ部Ａ２の位置に対してずれているような場合では、開始位置情報ＳＴ２と終了位置情報ＥＤ２とを修正して、開始位置情報ＳＴ２が示す位置と終了位置情報ＥＤ２が示す位置とを、ＣＭ部Ａ２の開始位置と終了位置とに正確に一致させることができるようになっている。
【００４０】
なお、この修正においては、番組４１を速送り再生や通常再生、またはスロー再生等を行うことによって、ＣＭ部Ａ２の開始位置を見つけ出し、見つけ出した位置を開始位置情報によって示すようにする。また、ＣＭ部Ａ２の終了位置を見つけ出し、見つけ出した位置を終了位置情報によって示すようにする。そして、ダビング制御手段２３は、プリセット情報が位置情報修正手段２５によって修正されたときでは、修正されたプリセット情報に基づいてＣＭカットを行う。
【００４１】
録画予約手段２６は、録画予約の入力の受け付けを行い、入力された録画予約を内部に記憶する。なお、録画予約の入力時において、録画時のＣＭカットを指定されたときには、カット位置情報生成手段２４によって生成されたカット位置情報を、入力された録画予約に対応付けて記憶する。あるいは、カット位置情報として、予め生成されたプリセット情報を使用するときでは、プリセット指定手段２９によって指定されたプリセット情報を、カット位置情報として、入力された録画予約に対応付けて記憶する。
【００４２】
録画制御手段２７は、受信した番組をＤＶＤ１３に録画する。なお、この録画時にＣＭカットを行うことを指示されたときには、ユーザによって指定されたプリセット情報、あるいは、カット位置情報生成手段２４によって生成されたカット位置情報において開始位置情報が示す時刻（ＣＭ部の開始時刻）となるときには録画を一時停止し、終了位置情報が示す時刻（ＣＭ部の終了時刻）となるときには録画を再開する。つまり、ＣＭ部の開始時刻から終了時刻までの間では、録画を一時停止することによって、ＣＭ部を録画することなく、本編のみをＤＶＤ１３に録画する。
【００４３】
メッセージ表示手段２８は、録画時にＣＭカットを行うときでは、カット位置情報の開始位置情報が示す時刻や、終了位置情報が示す時刻が、ＣＭ部の開始時刻や終了時刻と一致しなかったときには、録画が失敗となり、この失敗は修正できないことを示すメッセージを表示する。
【００４４】
図３、図４は、番組のダビング時の実施形態の主要動作を示すフローチャートである。必要に応じて同図を参照しつつ、実施形態の動作を説明する。
【００４５】
リモコン９等を用いて指示を与えることにより、ＨＤＤ６に記録された番組の一覧を表示させる。そして、この一覧から、ＤＶＤ１３にダビングしたい番組を指示する（ステップＳ１）。次いで、ダビングするときにＣＭカットを行うかどうかを指示する（ステップＳ２）。ＣＭカットを行うときには、ＣＭ部の位置（ＣＭカットの位置）を示す情報を新たに生成するか、予め生成されていた情報であるプリセット情報を使用するかどうかを指示する（ステップＳ３，Ｓ４）。
【００４６】
プリセット情報を使用しないときには、カット位置情報生成手段２４を用い、ＣＭ部をカット（ＣＭ部の再生をスキップ）するときの位置を示す情報であるカット位置情報を新たに生成する。そして、このときでは、ＧＯＰ（Ｇｒｏｕｐ  ｏｆ  Ｐｉｃｔｕｒｅ：１単位が１５フレーム程度によって構成されることが多い）を単位として、ＣＭ部の位置を指定するようにするのか、フレームを単位として、ＣＭ部の位置を指定するようにするのかを指示する（ステップＳ５，Ｓ６）。そして、フレームを単位として、ＣＭ部の位置を指示するときでは、高速のダビングができないことを示すメッセージを表示する（ステップＳ７，Ｓ８）。
【００４７】
これは、フレームを単位とするときでは、ＧＯＰを単位として圧縮された映像情報を伸長することによって、フレームを単位とする映像情報を生成する。そして後、ＣＭ部をカットする。次いで、伸長する以前とは異なるフレーム群によって構成されるＧＯＰを、再度、圧縮してＤＶＤ１３に記録する必要があるためである。すなわち、ダビング時には、映像音声情報の伸長と圧縮とを行う必要があり、このために時間を要するからである。
【００４８】
ＧＯＰを単位とするＣＭ部のカット、あるいは、フレームを単位とするＣＭ部のカットのいずれを指示したときであっても、次には、ダビングする番組を、速送り再生、通常再生、スロー再生等の方法を用いることによって、ＣＭ部Ａ１〜Ａ３，・・・，Ａｎのそれぞれについて、開始位置ＳＴ１〜ＳＴ３，・・・，ＳＴｎと終了位置ＥＤ１〜ＥＤ３，・・・，ＥＤｎとを指示する（ステップＳ９）。この指示を行うことによってカット位置情報を生成したときには、生成したカット位置情報を、プリセット情報として保存するかどうかを指示する（ステップＳ１０）。
【００４９】
保存を指示したときには、生成されたカット位置情報は、プリセット情報として、プリセット保存手段２１に記憶される（ステップＳ１１，Ｓ１２）。なお、このときには、番組名、番組４１が連続ドラマであるのかどうか、番組４１の放送日時と曜日と時刻、受信したチャンネル、等の情報が付加されて記憶される。すなわち、以後において、番組４１とは異なる番組をダビングするときに、ダビングしようとする番組のＣＭ部の位置が、番組４１のＣＭ部の位置と同じかどうかの判別を容易にする情報が付加される。
【００５０】
次いで、ダビング対象として指示された番組がＨＤＤ６から再生され、ＤＶＤ１３にダビングされる。なお、このときでは、番組開始時刻から終了位置ＥＤ１までの番組部分はＣＭ部であるとしてＣＭカット（再生がスキップ）され、終了位置ＥＤ１から開始位置ＳＴ２までの本編Ｂ１、終了位置ＥＤ２から開始位置ＳＴ３までの本編Ｂ２、終了位置ＥＤ３から始まる本編Ｂ３、・・・、開始位置ＳＴｎまでの本編Ｂｎ−１がＤＶＤ１３にダビングされる。すなわち、ＣＭ部がカットされ、本編のみからなる番組がＤＶＤ１３にダビングされる（ステップＳ１３）。
【００５１】
なお、ステップＳ２において、ＣＭカットしないことを指示したときには、動作は、ステップＳ３，Ｓ１８と移行し、ＣＭカットを行うことなく、指定した番組がＤＶＤ１３にダビングされる。
【００５２】
一方、カット位置情報として、予め生成され、プリセット情報とてし保存された情報を用いるときでは、動作は、ステップＳ５からステップＳ２１に移行する。このため、プリセット表示手段２２は、プリセット保存手段２１に記憶されたプリセット情報の一覧を表示する。なお、このとき、付加された情報も表示する。ユーザは、一覧表示されたプリセット情報のうちから、ダビングする番組のＣＭ部の位置が同じとなる番組のために生成されたプリセット情報を、カット位置情報として使用することを指定する（ステップＳ２２）。
【００５３】
カット位置情報として使用するプリセット情報を指定すると、このプリセット情報が、ＧＯＰを単位として位置が示されている情報（高速でダビング可能なプリセット情報）なのか、フレームを単位として位置が示されている情報（高速ダビングができない情報）なのかが表示される（ステップＳ２３）。ユーザは、指定したプリセット情報を、カット位置情報として使用するかどうかの指示を入力する。
【００５４】
指定したプリセット情報を使用する指示を入力したときには、プリセット情報により示される開始位置と終了位置とが時間バーにおいて表示される（ステップＳ２４，Ｓ２５）。そして、時間バーに表示された開始位置と終了位置とのうちのひとつの位置を指示すると、ダビングの対象として指定された番組の指示された位置に対応する画像が表示される（ステップＳ２６）。時間バーに表示された開始位置や終了位置、および、開始位置や終了位置に対応する画像を確認した後、修正することなく、指定したプリセット情報をカット位置情報として使用することを指示すると、動作は、ステップＳ２７，Ｓ２８，Ｓ３０，Ｓ３１と移行する。このため、指定したプリセット情報により示される開始位置や終了位置に基づき、ＣＭ部をカットしたダビングが行われる。
【００５５】
一方、指定したプリセット情報をカット位置情報として使用はするが、開始位置や終了位置の一部を修正する指示を入力すると、動作は、ステップＳ２７〜Ｓ２９と移行する。このため、位置情報修正手段２５は、開始位置（開始位置情報）や終了位置（終了位置情報）の修正を受け付ける。このときには、ダビングの対象として指定した番組を、速送り再生や通常再生やスロー再生等を行うことによって、ＣＭ部を示す開始位置や終了位置を修正する。そして後、ダビングを指示したときには、修正されたプリセット情報により示される開始位置や終了位置に基づき、ＣＭ部をカットしたダビングが行われる（ステップＳ３０，Ｓ３１）。
【００５６】
なお、カット位置情報として使用するプリセット情報を指定し、必要に応じて開始位置や終了位置を修正したが、再度、使用するプリセット情報を検討したいときには、ダビングの中止の指示を入力して、動作を、ステップＳ３０からステップＳ２７、ステップＳ３５と移行させた後、ステップＳ２１に移行する。また、ステップＳ３０，Ｓ２７，Ｓ２８と移行するときでは、再度、開始位置や終了位置の修正を行うことができるようになっている。
【００５７】
また、プリセット情報の選び直しをしないときでは、動作は、ステップＳ３５からステップＳ３６と移行する。そして、ＣＭカットなしを選択したときでは、ＣＭ部をカットすることなく、指定した番組がＤＶＤ１３にダビングされる（ステップＳ３８）。一方、ステップＳ３７においてＣＭカットを選択したときには、動作はステップＳ６に移行し、カット位置情報を生成する動作に移行する。
【００５８】
図５は、録画予約の入力時の実施形態の主要動作を示すフローチャートである。必要に応じて同図を参照しつつ、録画時にＣＭカットを行う場合の動作について説明する。なお、録画時にＣＭカットを行う動作は、録画の開始のタイミングに精度が要求されるので、本実施形態では、録画予約に従った録画時においてのみＣＭカットを行うようにしている（ユーザが録画キーを操作したときにも、ＣＭカットによる録画を行うようにすることもできる）。
【００５９】
録画予約の入力を指示すると、録画予約手段２６は、録画予約のための画面（図示を省略）を表示する。図７は、録画予約手段２６によって録画予約が受け付けされる項目を示しており、項目６１は、録画を実行する日を指定する。なお、指定可能な選択肢は、月と日とにより示される特定の日、毎週の特定の曜日、毎週の月曜日〜木曜日、毎週の月曜日〜金曜日、毎週の月曜日〜土曜日、および、毎日、となっている。項目６２は録画の開始時刻、項目６３は録画の終了時刻、項目６４は受信するチャンネル、項目６５は録画モード、項目６６は録画する記録媒体となっている。
【００６０】
また、項目６７は、入力された録画予約について、録画の実行時にＣＭカットを行うことなく、連続的な録画を行うときには『通常』を選択し、録画の実行時にＣＭカットを行うときには、『ＣＭカット』を選択するようになっていることを示している。
【００６１】
以上のことから、録画予約に必要となる項目６１〜６６を入力（項目６６ではＤＶＤが選択されたとする）した後（ステップＳ４１）、録画時のＣＭカットを選択すると（ステップＳ４２）、メッセージ表示手段２８は、カット位置情報の開始位置情報が示す時刻や、終了位置情報が示す時刻が、ＣＭ部の開始時刻や終了時刻と一致しなかったときには、録画が失敗となり、この失敗は修正できないことを示すメッセージを表示する（ステップＳ４３，Ｓ４４）。そして、再度、録画時のＣＭカットを行うかどうかの確認を求める（ステップＳ４５）。
【００６２】
ステップＳ４５において録画時のＣＭカットを選択したときには、ＣＭカットを行うときのカット位置情報として、予め生成され、プリセット保存手段２１に保存されているプリセット情報を使用するかどうかを指示する（ステップＳ４６）。プリセット情報を使用することなく、新たに、カット位置情報を生成することを指示すると、動作は、ステップＳ４７からステップＳ４８に移行し、録画予約における録画開始時刻を左端しと、録画終了時刻を右端とする時間バーが表示される。そして、ＣＭ部の位置の見本となる番組を参照する等の方法を用いることにより、削除したいＣＭ部のそれぞれについて、ＣＭ部の開始位置と終了位置とを指示する（ステップＳ４９）。また、必要に応じて、指示した開始位置や終了位置の確認を行う（ステップＳ５０）。
【００６３】
上記方法によってカット位置情報の生成が完了したときには、生成したカット位置情報を、プリセット保存手段２１にプリセット情報として保存するかどうかを指示する（ステップＳ５１）。保存を指示したときでは、生成したカット位置情報は、プリセット情報としてプリセット保存手段２１に保存される（ステップＳ５２，Ｓ５３）。そして後、生成されたカット位置情報は、入力された録画予約に対応付けて記憶される（ステップＳ５４）。また、カット位置情報を保存しないことを指示したときでは、生成されたカット位置情報は、プリセット保存手段２１に保存されることなく、入力された録画予約に対応付けて記憶される（ステップＳ５２，Ｓ５４）。
【００６４】
一方、ステップＳ４６において、プリセット保存手段２１に保存されたプリセット情報をカット位置情報として用いることを指示した場合、動作は、ステップＳ４７からステップＳ６１に移行する。このため、プリセット保存手段２１に保存されたプリセット情報が、プリセット表示手段２２によって一覧表示される。そして、プリセット指定手段２９を用いることにより、カット位置情報として使用するプリセット情報を指定する（ステップＳ６２）。
【００６５】
カット位置情報として使用するプリセット情報を指定すると、指定されたプリセット情報に基づくＣＭ部の開始時刻と終了時刻とが時間バーに表示される（ステップＳ６３）。そして、ユーザは、表示さた時間バーを確認した後、このプリセット情報をカット位置情報として使用することを指示すると、動作は、ステップＳ６４からステップＳ６５に移行し、指定したプリセット情報がカット位置情報として、入力された録画予約に対応付けて記憶される。
【００６６】
一方、カット位置情報として使用することを指定したプリセット情報における開始時刻や終了時刻を、時間バーにおいて確認したとき、使用するには不具合があると判断したときには、指定したプリセット情報を使用しない指示を入力して、動作を、ステップＳ６４からステップＳ４２に移行させる。そして、再度、録画時にＣＭカットを行うかどうかを指示する。なお、ステップＳ４３，Ｓ４５において、録画時のＣＭカットを行わないときでは、入力された録画予約は、カット位置情報の無い録画予約として記憶される（ステップＳ５８）。
【００６７】
図６は、録画予約の実行時の実施形態の主要動作を示すフローチャートである。必要に応じて同図を参照しつつ、実施形態の動作を説明する。
【００６８】
録画制御手段２７は、録画予約の実行時刻の少し前となったとき、実行する録画予約を取り出す（ステップＳ７１）。そして、取り出した録画予約が、録画時にＣＭカットを行う録画予約であるのかどうかを調べる（ステップＳ７２）。録画時にＣＭカットを行う録画予約であるときには、対応付けて記憶されたカット位置情報を取得する（ステップＳ７４）。そして、録画の開始時刻となったときには、録画を開始する。
【００６９】
いま、録画対象となっている番組が図２に示す番組４１であるとすると、録画の開始時刻がＣＭ部Ａ１の開始時刻ＳＴ１であるため、動作は、ステップＳ７５，Ｓ７６，Ｓ７７と移行する。このため、動作は、直ちに、録画の一時停止状態となる。そして、終了時刻ＥＤ１となったとき、録画の一時停止が解除され、録画が開始される（ステップＳ７８，Ｓ７９）。従って、本編Ｂ１の録画の開始となる。そして、録画の終了かどうか（ステップＳ８０）が調べられる。このときでは、録画の終了ではないので、動作が、ステップＳ８０からステップＳ７６に移行する。このため、開始時刻ＳＴ２となるまでは録画が継続され、開始時刻ＳＴ２となったとき、録画が一時停止される（ステップＳ７７）。
【００７０】
そして、終了時刻ＥＤ２となったとき、録画が再開される。以後、開始時刻ＳＴ３となるまで録画が継続され、開始時刻ＳＴ３となったときから終了時刻ＥＤ３となるまでの間では録画が一時停止される。そして、終了時刻ＥＤ３となったとき、録画が再開される。そして後、録画の一時停止と録画の再開とが、ＣＭ部の開始時刻と終了時刻とに応じて繰り返され、開始時刻ＳＴｎとなったとき、録画が一時停止される。そして、番組終了時刻となったとき、録画を終了する（ステップＳ８０，Ｓ８１）。
【００７１】
なお、実行する録画予約が、録画時にＣＭカットを行わない録画予約であるときには、動作は、ステップＳ７３からステップＳ８５に移行し、ＣＭカットをすることのない録画が実行される。すなわち、入力された録画開始時刻から録画終了時刻まで、途中で中断することのない録画が実行される。
【００７２】
なお、本発明は上記実施形態に限定されず、保存されたプリセット情報のうちから、カット位置情報として使用するプリセット情報の指定方法については、ユーザが指定する構成とした場合について説明したが、ダビング対象（録画予約の対象）として指定された番組に付加された情報（番組名（録画予約のときでは無くてもよい）、録画日、録画時刻、チャンネル）と、保存されたプリセット情報に付加された情報（番組名、録画日、録画時刻、チャンネル）とに基づき、使用可能なプリセット情報を自動で指定する構成とすることもできる（例えば、ダビング対象の番組の録画の曜日と時刻とチャンネルとが同一となるプリセット情報を指定する、等の方法を用いる）。
【図面の簡単な説明】
【００７３】
【図１】本発明に係る映像音声記録装置の一実施形態であるＨＤＤ一体型ＤＶＤレコーダの電気的構成を示すブロック線図である。
【図２】プリセット情報と番組との対応関係を示す説明図である。
【図３】番組をダビングするときの実施形態の主要動作を示すフローチャートである。
【図４】番組をダビングするときの実施形態の主要動作を示すフローチャートである。
【図５】録画予約の入力時の実施形態の主要動作を示すフローチャートである。
【図６】録画予約の実行時の実施形態の主要動作を示すフローチャートである。
【図７】録画予約における入力項目を示す説明図である。
【符号の説明】
【００７４】
５  ディスクドライブ部
６  ハードディスクドライブ部（情報記録媒体）
１３  ＤＶＤ（光ディスク）
２１  プリセット保存手段
２３  ダビング制御手段
２５  位置情報修正手段
２７  録画制御手段
２８  メッセージ表示手段
２９  プリセット指定手段
４１  番組（映像音声情報）
【図１】
2006339730.tif 000003
【図２】
2006339730.tif 000004
【図３】
2006339730.tif 000005
【図４】
2006339730.tif 000006
【図５】
2006339730.tif 000007
【図６】
2006339730.tif 000008
【図７】
2006339730.tif 000009